(57)【要約】      （修正有）【課題】基板に複数のプレートを配列して色々な形状を模ることが出来るパズル玩具を提供する。【解決手段】平坦面の外側に上方に盛り上がって縁部を設けた基板と、平坦面上に複数のプレートを配列して色々な形状を模ることが出来るパズル玩具であって、プレートは正方形プレート１、直角三角形プレート２、ひし形プレート３、凸状二等辺三角形プレート４、及び凹状二等辺三角形プレート５から成り、正方形プレートの縦横辺の長さはＡ、直角三角形プレートの底辺と縦辺の長さはＡ、ひし形プレートの一辺の長さはＡ、凸状二等辺三角形プレートの側辺長さはＡ、及び凹状二等辺三角形プレートの側辺長さはＡとしている。【選択図】図１
0003232188.tif 000002
【実用新案登録請求の範囲】
【請求項１】
平坦面の外側に上方に盛り上がって縁部を設けた基板と該平坦面上に複数のプレートを配列して色々な形状を模ることが出来るパズル玩具において、上記プレートは正方形プレート、直角三角形プレート、ひし形プレート、底辺が滑らかな凸状をした凸状二等辺三角形プレート、及び底辺が滑らかな凹状をした凹状二等辺三角形プレートから成り、正方形プレートの縦横辺の長さはＡ、直角三角形プレートの底辺と縦辺の長さはＡ、ひし形プレートの一辺の長さはＡ、底辺が滑らかな凸状をした凸状二等辺三角形プレートの側辺長さはＡ、及び底辺が滑らかな凹状をした凹状二等辺三角形プレートの側辺長さはＡとしたことを特徴とするパズル玩具。
【考案の詳細な説明】
【技術分野】
【０００１】
本考案は形状が異なる複数枚のプレートで構成されるパズル玩具に関するものである。
【背景技術】
【０００２】
幼児や子供の玩具としてパズル玩具が昔から知られ、単なる遊びではなく、幼児や子供の教育の１つとして使われている。
最も代表的なパズル玩具としてはジグソーパズルが知られ、各種形状をした個々のプレートを配列することで、所定の模様を作り上げることが出来るように成っている。
その為に、個々の矩形状プレートを所定の位置に配列する為に考えることが必要であり、幼児や子供の教育になる。
【０００３】
このジグソーパズルは、組み合わせることで完成する図形が別に準備され、バラバラにした複数の矩形状プレートの中から所定のプレートを選んで配置することで同じ形状の図形を完成することが出来る。
すなわち、完成図形と同じになるように個々の矩形プレートを組み直すことによって一種の遊びに供すると共に、教育にもなる。
【０００４】
従来から色々なジグソーパズルは知られている。実用新案登録第３０３３０２５号に係る「パズルおもちゃ」は、任意の組合わせにより多様な形態の平面図形を創造的に形成し得るパズルおもちゃのである。
すなわち、平面形状が、正三角形状の正パズル片と、直角二等辺三角形状の直二パズル片と及び頂角の一つが３０度角の直角三角形状の直角パズル片の複数からなる。
また、正パズル片の一辺と直二パズル片の短辺と直角パズル片の短辺とが同一寸法であるように、これらのパズル片の複数を矩形状プレート材からの切片として形成している。
【０００５】
実用新案登録第第３０４１４４２号に係る「地図パズル」は、大陸、国、地域等を描いたプレート、及びこのプレートに描かれた大陸、国、地域等に合わせてその輪郭に沿った内部が所定の深さの凹部として形成されていて位置決めすることができ、かつ細分化されていて凹部に位置決めされるチップが凹部の深さよりも大きな厚さを有する複数個のチップを含むものである。
プレートは、中央部分において分割された２つの半体からなり、この分割された半体がヒンジにより一端部側を連結され、かつ、他端側を互い離脱不能にするための掛止具を備えている深さの浅い容器として形成されている。この容器は、それらの開口部分を互いに合わせて保持することができるように構成され、対向保持された容器内に細分化されたチップを収容することができる。
【０００６】
これらの他にもいろいろなパズルが知られていて、子供や幼児の遊びに使用されている。
【特許文献１】実用新案登録第３０３３０２５号に係る「パズルおもちゃ」
【特許文献２】実用新案登録第第３０４１４４２号に係る「地図パズル」
【考案の開示】
【考案が解決しようとする課題】
【０００７】
このように、従来から各種パズルが知られているが、使用されるプレートの形状は少なく、その為に配列して形作られる図形は限られる。すなわち、正方形、直角三角形、及びひし形の三種類が用いられている。
本考案に係るパズル玩具は、従来の正方形、直角三角形、ひし形の他に、底辺が滑らかな凸状をした二等辺三角形と、底辺が滑らかな凹状とした二等辺三角形をしたプレートを加えて、５種類のプレート形状にて、より多くの図形を形作ることが出来るようにしたパズル玩具を提供する。
【課題を解決するための手段】
【０００８】
本考案に係るパズル玩具は基板と複数の矩形状プレートから成り、基板は四角形の滑らかな平面に縁部を設けている。該縁部は四角形の平面より盛り上がって四方に形成され、その為に基板平面に置かれるプレートが平面外に滑り落ちないようになる。
そして、矩形状プレートは、正方形、直角三角形、ひし形、底辺が滑らかな凸状をした二等辺三角形、底辺が滑らかな凹状をした二等辺三角形の５種類を有している。
【０００９】
ところで、上記矩形状プレートを配列して、各種図形を形成することが出来る。組立図形の形状は限定しないが、例えば、人を模った形状、船の形状、亀の形状、ロケット形状、傘の形状など色々形作ることが出来る。
プレートを配列して形作る図形はパズル遊びをする人の発想に基づくもので、限定するものではない。
【考案の効果】
【００１０】
パズル玩具は、複数種類の矩形状プレートを使用して色々な図形を形作ることが出来る。
特に本考案では、矩形状プレートの種類が正方形、直角三角形、ひし形、底辺が滑らかな凸状をした二等辺三角形、底辺が滑らかな凹状をした二等辺三角形の５種類とすることで、従来に比較して形作ることが出来る図形はより多くなる。
その為に、幼児や子供は、飽きることなくパズル玩具を使って遊ぶことが出来、教育上も好ましい玩具である。
【図面の簡単な説明】
【００１１】
【図１】本考案に係るパズル玩具を構成する各種プレート。
【図２】図１に示すプレートを用いて人を模った具体例。
【図３】図１に示すプレートを用いて亀を模った具体例。
【図４】図１に示すプレートを用いてロケットを模った具体例。
【図５】図１に示すプレートを用いて舟を模った具体例。
【図６】図１に示すプレートを用いて円盤を模った具体例。
【考案を実施するための形態】
【００１２】
図１は本考案に係るパズル玩具を構成する各種のプレートを表している。（ａ）は正方形プレート１、（ｂ）は直角三角形プレート２、（ｃ）はひし形プレート３、（ｄ）は底辺が滑らかな凸状をした凸状二等辺三角形プレート４、（ｅ）は底辺が滑らかな凹状をした凹状二等辺三角形プレート５をそれぞれ表している。これら各種プレートは樹脂製で一定の厚みを有し、所定の位置に配置することで、色々な図形を形作ることが出来る。
【００１３】
ところで、上記各種プレートは、互いに接して図形を形作ることが出来るように、辺の長さＡは一定としている。
すなわち、正方形プレート１の横辺６と縦辺７の長さはＡ、直角三角形プレート２の底辺８と縦辺９の長さはＡ、ひし形プレート３の一辺１０の長さはＡ、凸状二等辺三角形プレート４の側辺１１の長さはＡ、凹状二等辺三角形プレート５の側辺１２の長さはＡと成っている。
したがって、これら各プレート１，２，３，４，５が互いに接するならば、接し合う辺は、はみ出すことなく一致する。
【００１４】
図２上記各プレートを配列して人１３を模っている場合の具体例を示している。
同図において、人１３の頭部は２枚の凸状二等辺三角形４，４が対を成して配置され、左側の腕１４は凹状二等辺三角形プレート５と２枚の凸状二等辺三角形プレート４，４が用いられ、右側腕１５は２枚の凸状二等辺三角形プレート４，４を用いている。
そして、胴部は凹状二等辺三角形プレート５，５と４枚の直角三角形プレート２，２・・・を配列している。
両脚１６，１６は凹状二等辺三角形プレート５と凸状二等辺三角形プレート４、及び２枚の直角三角形プレート２，２（又は正方形プレート１）を用いて構成している。
【００１５】
図３は亀１７を模っている具体例である。ところで、該亀１７は上記各プレートを配列して構成しているが、頭部には２枚の直角三角形プレート２，２が用いられ、胴部には２枚の直角三角形プレート２，２と６枚の凸状二等辺三角形プレート４，４・・・を円状に配列している。
そして、左側前脚は、２枚の凹状二等辺三角形プレート５，５対を成して配置され、右側の前脚は凸状の二等辺三角形プレート４と凹状の二等辺三角形プレート５が対を成して配置している。
一方、後方の両脚は３枚の凹状二等辺三角形プレート５，５・・・と１枚の凸状二等辺三角形プレート４が配列して構成している。
【００１６】
図４はロケット１８を形成している。中央には４枚の直角三角形２，２・・・を組み合わされて配置され、その他の部分は複数枚の凸状二等辺三角形プレート４，４・・・と複数枚の凹状二等辺三角形プレート５，５・・・が配列して構成している。
【００１７】
図５は舟１９を表している。該舟１９は直角三角形プレート２，２・・・、ひし形プレート３，３、凸状二等辺三角形プレート４，４・・・、及び凹状二等辺三角形５を配列して構成している。
図６は本考案に係る他の実施例であり、６枚の凹状二等辺三角形プレート５，５・・・と２枚の凸状二等辺三角形４，４を配列して構成している。
【００１８】
以上、図２から図６に示した実施例は、あくまでも１具体例であり、図１に示す各種プレート１，２，３，４，５を用いて色々な形状の図形を形作ることが出来る。
子供や幼児はこのパズル玩具を用いて遊ぶことが出来、また、一つの教育として使うことが可能である。
【符号の説明】
【００１９】
１   正方形プレート
２   直角三角形プレート
３   ひし形プレート
４   凸状二等辺三角形プレート
５   凹状二等辺三角形プレート
６   横辺
７   縦辺
８   底辺
９   縦辺
10   一辺
11   側辺
12   側辺
13   人
14   左側腕
15   右側腕
16   脚
17   亀
18   ロケット
19   舟
【図１】
0003232188.tif 000003
【図２】
0003232188.tif 000004
【図３】
0003232188.tif 000005
【図４】
0003232188.tif 000006
【図５】
0003232188.tif 000007
【図６】
0003232188.tif 000008